【手続補正書】
【提出日】平成21年8月7日(2009.8.7)
【手続補正１】
【補正対象書類名】明細書
【補正対象項目名】発明の名称
【補正方法】変更
【補正の内容】
【発明の名称】画像処理装置及び画像処理方法
【手続補正２】
【補正対象書類名】特許請求の範囲
【補正対象項目名】全文
【補正方法】変更
【補正の内容】
【特許請求の範囲】
【請求項１】
入力された画像データを非可逆圧縮する圧縮手段と、
前記圧縮手段によって圧縮された前記画像データを蓄積する蓄積手段と、
前記蓄積手段によって蓄積された前記画像データを伸長する伸長手段と、
画像データをフィルタ処理するフィルタ演算手段と、を備えた画像処理装置であって、
前記圧縮手段による圧縮前の画像データに対するフィルタ処理と、前記伸長手段による伸長後の画像データに対するフィルタ処理と、を前記フィルタ演算手段を共通で使用して行うように制御する制御手段と、を備えたことを特徴とする画像処理装置。
【請求項２】
前記フィルタ演算手段への入出力を切り換える切換手段を備え、
前記制御手段が、前記切換手段によって前記フィルタ演算手段への入出力を切り換えるように制御することによって、前記圧縮手段による圧縮前の画像データに対するフィルタ処理と、前記伸長手段による伸長後の画像データに対するフィルタ処理と、を前記フィルタ演算手段を共通で使用して行うことを特徴とする請求項１に記載の画像処理装置。
【請求項３】
入力された画像データの特性を判断する判断手段を備え、
前記制御手段は、前記判断手段による判断結果に基づいて、画像データのフィルタ処理を圧縮前に行うかあるいは伸張後に行うかを決定することを特徴とする請求項１または２に記載の画像処理装置。
【請求項４】
前記判断手段によって画像データの特性が文字情報と判断された場合には、圧縮前の画像データに対してフィルタ処理を行うことを特徴とする請求項３に記載の画像処理装置。
【請求項５】
前記判断手段によって画像データの特性が写真情報と判断された場合には、伸長後の画像データに対してフィルタ処理を行うことを特徴とする請求項３に記載の画像処理装置。
【請求項６】
前記判断手段によって画像データの特性が文字情報と判断された場合には、圧縮前の画像データに対してフィルタ処理を行い、写真情報と判断された場合には伸長後の画像データに対してフィルタ処理を行うことを特徴とする請求項３に記載の画像処理装置。
【請求項７】
前記入力された画像データの特性は、操作部から入力された情報に基づいた特性であることを特徴とする請求項３乃至６のいずれか一項に記載の画像処理装置。
【請求項８】
入力された画像データを非可逆圧縮する圧縮工程と、
前記圧縮工程によって圧縮された前記画像データを蓄積する蓄積工程と、
前記蓄積工程によって蓄積された前記画像データを伸長する伸長工程と、
画像データをフィルタ演算手段によりフィルタ処理するフィルタ演算工程と、を有する画像処理方法であって、
前記圧縮工程による圧縮前の画像データに対するフィルタ処理と、前記伸長工程による伸長後の画像データに対するフィルタ処理と、を前記フィルタ演算手段を共通で使用して行うことを特徴とする画像処理方法。
【請求項９】
前記フィルタ演算手段への入出力を切り換える切換工程と、
前記切換工程によって、前記フィルタ演算手段への入出力を切り換えるように制御する制御工程と、を有し、前記圧縮工程による圧縮前の画像データに対するフィルタ処理と、前記伸長工程による伸長後の画像データに対するフィルタ処理と、を前記フィルタ演算手段を共通で使用して行うことを特徴とする請求項１に記載の画像処理方法。
【請求項１０】
入力された画像データの特性を判断する判断工程を備え、
前記判断工程による判断結果に基づいて画像データのフィルタ処理を圧縮前に行うかあるいは伸張後に行うかが決まることを特徴とする請求項８または９に記載の画像処理方法。
【請求項１１】
前記判断工程によって画像データの特性が文字情報と判断された場合には、圧縮前の画像データに対してフィルタ処理を行うことを特徴とする請求項１０に記載の画像処理方法。
【請求項１２】
前記判断工程によって画像データの特性が写真情報と判断された場合には、伸長後の画像データに対してフィルタ処理を行うことを特徴とする請求項１０に記載の画像処理方法。
【請求項１３】
前記判断工程によって画像データの特性が文字情報と判断された場合には、圧縮前の画像データに対してフィルタ処理を行い、写真情報と判断された場合には伸長後の画像データに対してフィルタ処理を行うことを特徴とする請求項１０に記載の画像処理方法。
【請求項１４】
前記入力された画像データの特性は、操作部から入力された情報に基づいた特性であることを特徴とする請求項１０乃至１３のいずれか一項に記載の画像処理方法。
【手続補正３】
【補正対象書類名】明細書
【補正対象項目名】０００６
【補正方法】変更
【補正の内容】
【０００６】
しかしながら、上記従来の技術にあっては、画質を向上させるためには、フィルタ前処理タイプとフィルタ後処理タイプの双方を、画像に応じて適宜切り換えて行う必要があるが、フィルタ前処理タイプとフィルタ後処理タイプを適宜切り換えて行うには、図１３に示すように、前段と後段の双方にフィルタ処理部１０２ａ、１０２ｂを設ける必要があり、それぞれのフィルタ処理部１０２ａ、１０２ｂにＦＩＦＯを用意する必要がある。その結果、画像処理装置のコストが高くなるという問題があった。
そこで、本発明は、１つのフィルタ処理手段を前段と後段で使用し、文字原稿に特化したフィルタ前処理タイプと、文字写真混在原稿に適したフィルタ後処理タイプを適宜切り換えて実施して、安価に画質を向上させることのできる画像処理装置を提供することを目的としている。
【手続補正４】
【補正対象書類名】明細書
【補正対象項目名】０００７
【補正方法】変更
【補正の内容】
【０００７】
上記の課題を解決するために、請求項１の発明は、入力された画像データを非可逆圧縮する圧縮手段と、前記圧縮手段によって圧縮された前記画像データを蓄積する蓄積手段と、前記蓄積手段によって蓄積された前記画像データを伸長する伸長手段と、画像データをフィルタ処理するフィルタ演算手段と、を備えた画像処理装置であって、前記圧縮手段による圧縮前の画像データに対するフィルタ処理と、前記伸長手段による伸長後の画像データに対するフィルタ処理と、を前記フィルタ演算手段を共通で使用して行うように制御する制御手段と、を備えた画像処理装置を特徴とする。
また、請求項２の発明は、前記フィルタ演算手段への入出力を切り換える切換手段を備え、前記制御手段が、前記切換手段によって前記フィルタ演算手段への入出力を切り換えるように制御することによって、前記圧縮手段による圧縮前の画像データに対するフィルタ処理と、前記伸長手段による伸長後の画像データに対するフィルタ処理と、を前記フィルタ演算手段を共通で使用して行う請求項１に記載の画像処理装置を特徴とする。
また、請求項３の発明は、入力された画像データの特性を判断する判断手段を備え、前記制御手段は、前記判断手段による判断結果に基づいて、画像データのフィルタ処理を圧縮前に行うかあるいは伸張後に行うかを決定する請求項１または２に記載の画像処理装置を特徴とする。
また、請求項４の発明は、前記判断手段によって画像データの特性が文字情報と判断された場合には、圧縮前の画像データに対してフィルタ処理を行う請求項３に記載の画像処理装置を特徴とする。
また、請求項５の発明は、前記判断手段によって画像データの特性が写真情報と判断された場合には、伸長後の画像データに対してフィルタ処理を行う請求項３に記載の画像処理装置を特徴とする。
また、請求項６の発明は、前記判断手段によって画像データの特性が文字情報と判断された場合には、圧縮前の画像データに対してフィルタ処理を行い、写真情報と判断された場合には伸長後の画像データに対してフィルタ処理を行う請求項３に記載の画像処理装置を特徴とする。
また、請求項７の発明は、前記入力された画像データの特性は、操作部から入力された情報に基づいた特性である請求項３乃至６のいずれか一項に記載の画像処理装置を特徴とする。
また、請求項８の発明は、入力された画像データを非可逆圧縮する圧縮工程と、前記圧縮工程によって圧縮された前記画像データを蓄積する蓄積工程と、前記蓄積工程によって蓄積された前記画像データを伸長する伸長工程と、画像データをフィルタ演算手段によりフィルタ処理するフィルタ演算工程と、を有する画像処理方法であって、前記圧縮工程による圧縮前の画像データに対するフィルタ処理と、前記伸長工程による伸長後の画像データに対するフィルタ処理と、を前記フィルタ演算手段を共通で使用して行う画像処理方法を特徴とする。
また、請求項９の発明は、前記フィルタ演算手段への入出力を切り換える切換工程と、前記切換工程によって、前記フィルタ演算手段への入出力を切り換えるように制御する制御工程と、を有し、前記圧縮工程による圧縮前の画像データに対するフィルタ処理と、前記伸長工程による伸長後の画像データに対するフィルタ処理と、を前記フィルタ演算手段を共通で使用して行う請求項１に記載の画像処理方法を特徴とする。
また、請求項１０の発明は、入力された画像データの特性を判断する判断工程を備え、
前記判断工程による判断結果に基づいて画像データのフィルタ処理を圧縮前に行うかあるいは伸張後に行うかが決まる請求項８または９に記載の画像処理方法を特徴とする。
また、請求項１１の発明は、前記判断工程によって画像データの特性が文字情報と判断された場合には、圧縮前の画像データに対してフィルタ処理を行う請求項１０に記載の画像処理方法を特徴とする。
また、請求項１２の発明は、前記判断工程によって画像データの特性が写真情報と判断された場合には、伸長後の画像データに対してフィルタ処理を行う請求項１０に記載の画像処理方法を特徴とする。
また、請求項１３の発明は、前記判断工程によって画像データの特性が文字情報と判断された場合には、圧縮前の画像データに対してフィルタ処理を行い、写真情報と判断された場合には伸長後の画像データに対してフィルタ処理を行う請求項１０に記載の画像処理方法を特徴とする。
また、請求項１４の発明は、前記入力された画像データの特性は、操作部から入力された情報に基づいた特性である請求項１０乃至１３のいずれか一項に記載の画像処理方法を特徴とする。
【手続補正５】
【補正対象書類名】明細書
【補正対象項目名】０００８
【補正方法】変更
【補正の内容】
【０００８】
このように、本発明の画像処理装置によれば、入力されるデジタル画像データを圧縮手段で非可逆圧縮して画像データ蓄積手段に蓄積し、当該画像データ蓄積手段の圧縮された画像データを伸長手段で伸長して出力するとともに、フィルタ処理手段でデジタル画像データに所定のフィルタ処理を施すに際して、当該フィルタ処理を、圧縮手段による圧縮前に行うフィルタ前処理と、当該フィルタ処理を伸長手段による伸長後に行うフィルタ後処理と、を適宜切り換えて行うので、１つのフィルタ処理手段で、処理対象の画像データの特性に応じてフィルタ前処理とフィルタ後処理を適宜切り換えて行うことができ、安価に画像品質を向上させて、安価に利用者の期待する特性の出力を得ることができる。
また、本発明の画像処理装置によれば、画像データの情報が主に文字情報であると、当該画像データに対しては、フィルタ前処理を行うので、主たる情報が文字である画像データの文字の先鋭度を向上させることができ、安価に画像品質をより一層向上させることができる。
また、本発明の画像処理装置によれば、画像データの情報が主に文字情報と写真情報であると、当該画像データに対しては、フィルタ後処理を行うので、主たる情報が文字と写真である画像データの文字の先鋭度の向上と網点写真のモアレの削減を行うことができ、文字と写真の両方の画像品質を安価に向上させて、安価に画像品質をより一層向上させることができる。